(57)【要約】【課題】  従来の製品は注意喚起、誘導ブロック等であり、表面が凸凹でできているため、他の歩行者、車椅子利用者、老人等の歩行に非常に障害となっている点。  注意喚起、誘導ブロック等の表面が凸凹に当たる杖の感触で判断するのではなく、無線を通じて聴覚で有意義な情報を取得できるようにすること。【解決手段】  発信範囲を限定した無線発信機もしくは発信端末等の設備１を埋設等設置し、これらからの無線を、注意喚起のための無線に対応する赤色灯、視覚障害者に音声や振動で情報を伝えるための装置、および、先端部に受信範囲を限定した無線受信機を内蔵した杖２を使って受信するという方法で、道路等の情報を視覚障害者３に伝え誘導するシステム。  範囲を限定、狭めることにより方向を持つラインを情報として提供でき、視覚障害者を誘導できるため、また、他の無線機器の影響が少なくなる点を考慮したシステム。【選択図】  図１
2006221593.tif 000002
【特許請求の範囲】
【請求項１】
発信範囲を限定した無線発信機もしくは発信端末等の設備を埋設等設置し、ここからの無線を、注意喚起のための赤色灯、視覚障害者に音声や振動で情報を伝えるための装置、および、先端部に受信範囲を限定した無線受信機を内蔵した杖を使って受信するという方法で、道路等の情報を視覚障害者に伝え誘導するシステム。
尚、範囲を限定する理由は狭めることにより無線発信機もしくは発信端末等を点と認識させ、その連続で方向を持つラインの情報として提供でき、視覚障害者を誘導できるためである。
【請求項２】
注意喚起のための無線に対応する赤色灯、視覚障害者に音声や振動で情報を伝えるための装置、および、先端部に受信範囲を限定した無線受信機を内蔵した杖。
尚、無線に対応する赤色灯は、車等の注意喚起のために交差点などの情報の無線を受けると、点灯して、他者に視覚障害者の存在を知らせる装置。
【請求項３】
太陽光電源等で電源を供給する発信範囲を限定した無線発信機もしくは発信端末等を持った設備、および、防水機能を持った同様な設備。
【発明の詳細な説明】
【技術分野】
【０００１】  電気通信技術に関する。
【背景技術】
【０００２】  従来の製品は注意喚起、誘導ブロック等であり、表面の凸凹に杖が当たるときの感触で誘導している。
このため、凸凹が他の歩行者、車椅子利用者、老人等の歩行に非常に障害となっている。
無線誘導のシステムはまだなく、横断歩道の音声誘導くらいしかない。
【非特許文献１】特許出願平１０−１２９９８３  審査未請求  無線警告システムおよび方法
【発明の開示】
【発明が解決しようとする課題】
【０００３】  従来の製品は注意喚起、誘導ブロック等であり、表面が凸凹でできているため、他の歩行者、車椅子利用者、老人等の歩行に非常に障害となっている点。
注意喚起、誘導ブロック等の表面が凸凹に当たる杖の感触で判断するのではなく、無線を通じて聴覚で有意義な情報を取得できるようにすること。
【課題を解決するための手段】
【０００４】  発信範囲を限定した無線発信機もしくは発信端末等の設備を埋設等設置し、ここからの無線を、注意喚起のための赤色灯、視覚障害者に音声や振動で情報を伝えるための装置、および、先端部に受信範囲を限定した無線受信機を内蔵した杖を使って受信するという方法で、道路等の情報を視覚障害者に伝え誘導するシステム。
尚、範囲を限定する理由は狭めることにより無線発信機もしくは発信端末等を点と認識させ、その連続で方向を持つラインの情報として提供でき、視覚障害者を誘導できるためである。【０００５】  注意喚起のための無線に対応する赤色灯、視覚障害者に音声や振動で情報を伝えるための装置、および、先端部に受信範囲を限定した無線受信機を内蔵した杖。
尚、無線に対応する赤色灯は、車等の注意喚起のために交差点などの情報の無線を受けると、点灯して、他者に視覚障害者の存在を知らせる装置。【０００６】  太陽光電源等で電源を供給する発信範囲を限定した無線発信機もしくは発信端末等を持った設備、および、防水機能を持った同様な設備。
【発明の効果】
【０００７】  視覚障害者にとっては、歩行に際して進行方向、交差点、車の出入り口等の情報を聴覚により得ることができ、より安心して行動ができる。
注意喚起のための無線に対応する赤色灯の内蔵された杖は、交差点などで無線の信号に対応して、自動的に点灯するため他者、運転手等の人たちの注意を喚起して交通事故等を防ぐ。
既存の誘導方法の注意喚起、誘導ブロック等は表面が凸凹でできているため、他の歩行者、車椅子利用者、老人等の歩行に非常に障害となっているが、本発明品は道路等の表面にはなにも凸凹をつける必要がなく、誰もが安全に歩行できる。
制限が必要ではあるが、店舗等の入り口に発信範囲を限定した無線発信機を設け、店名、職種などの町の情報も提供でき、視覚障害者にとっては、楽しい有意義なショッピングなどの行動ができる。
身体障害者、歩行障害者、車椅子利用者、老人、視覚障害者等の人達に対するバリアーフリーの実施に当たり、足元の平滑さは重要なことであり凸凹を無くす意味でも有意義なものである。
【発明を実施するための最良の形態】
【０００８】  以下、本発明の実施の形態を図面に基づき詳細に説明する。【０００９】  図１は本発明の請求項１の形態に係り、系統図である。
図１が示すように、請求項３の発信範囲を限定した無線発信機もしくは発信端末等の設備１より、請求項２の受信範囲を限定した無線受信機を内蔵した杖２に無線により情報を送る。
この情報を杖の内部で、音声、振動の情報に変え視覚障害者３に伝え誘導する。【００１０】  図２は本発明の請求項２の形態に係り、杖内部概略図である。
図２が示すように、受信範囲を限定した無線受信機４で情報を受信し、情報処理機５により音声、振動の情報に変え、イヤホーン６やバイブレーター７で視覚障害者３に伝える。
尚、無線に対応する赤色灯８は、車等の注意喚起のために交差点などの情報の無線を受けると、点灯して、他者に視覚障害者の存在を知らせる装置。【００１１】  図３、は本発明の請求項３の形態に係り、発信範囲を限定した無線発信機もしくは発信端末等の概略図である。
図３が示すように、電源部９、無線発信親機１０、発信範囲を限定した無線発信機もしくは発信端末１１、および配線からなる。
発信範囲を限定した無線発信機もしくは発信端末１１の設置間隔は発信範囲により変わるが、連続で方向を持つラインと認識させるため短い間隔とする。
電源部９は外部にあるときは、太陽光電源を採用し、内部は一般電源を使用する。
発信範囲を限定した無線発信機もしくは発信端末１１、および配線等は外部にあるときは、ビニールチューブ１２内に入れるなど防水性能を持たせて埋設する。
以上の構成で情報を発信する。【００１２】  本発明のポイントとなる、受信範囲を限定した無線受信機もしくは発信端末４、発信範囲を限定した無線発信機１とは受信、発信の範囲を直径４５ｃｍ位目安と考える。
尚、範囲を限定する理由は狭めることにより発信端末等を点と認識させ、その連続で方向を持つラインの情報として提供でき、視覚障害者を誘導できるためである。
また、受信範囲が狭いことで、他の無線機器の影響が少なくなる。
【図面の簡単な説明】
【００１３】
【図１】  本発明の請求項１の形態に係り、系統図である。
【図２】  本発明の請求項２の形態に係り、杖内部概略図である。
【図２】  本発明の請求項３の形態に係り、発信範囲を限定した無線発信機の概略図である。
【符号の説明】
【００１４】  １  発信範囲を限定した無線発信機もしくは発信端末等の設備
２  受信範囲を限定した無線受信機を内蔵した杖
３  視覚障害者
４  受信範囲を限定した無線受信機
５  情報処理機
６  イヤホーン
７  バイブレーター
８  無線に対応する赤色灯赤色灯
９  電源部
１０  無線発信親機
１１  発信範囲を限定した無線発信機もしくは発信端末等
１２  ビニールチューブ
【図１】
2006221593.tif 000003
【図２】
2006221593.tif 000004
【図３】
2006221593.tif 000005
【手続補正書】
【提出日】平成17年4月25日(2005.4.25)
【手続補正２】
【補正対象書類名】明細書
【補正対象項目名】００１３
【補正方法】変更
【補正の内容】
【００１３】
【図１】  本発明の請求項１の形態に係り、系統図である。
【図２】  本発明の請求項２の形態に係り、杖内部概略図である。
【図３】  本発明の請求項３の形態に係り、発信範囲を限定した無線発信機の概略図である。